(57)【要約】      （修正有）【課題】発光警告灯機能を具えた傘を提供する。【解決手段】発光警告灯機能を具えた傘は、傘骨構造、制御回路および発光装置などから組成し、傘骨構造は移動可能に骨を具え、骨上に傘生地を張って設け、傘骨構造の上部に収容空間を具えた絶縁棒１３を設け、収容空間内に制御回路を固設し、制御回路に電池と操作スイッチ２２を接続して設け、制御回路から発光装置３に接続し、発光装置は傘骨構造の傘生地表面に固設し、操作スイッチで制御回路を駆動することができ、制御回路で発光装置のオンまたはオフを制御して、傘に警告作用のある光を形成することができるようにして傘の使用者の安全を増進する。【選択図】図５
0003114689.tif 000002
【実用新案登録請求の範囲】
【請求項１】
発光警告灯機能を具えた傘において、光を発射して警告作用を達成する傘であって、傘骨構造、制御回路および発光装置などを具えてなり、
該傘骨構造は骨を移動可能に具え、骨に傘生地を張って具え、且つ傘骨構造の上部に収容空間を具えた絶縁棒を設け、
該制御回路は絶縁棒の収容空間内に固設し、電池と操作スイッチを連設して具え、
該発光装置は傘骨構造の傘生地表面に固設し、且つ発光装置は電気的に制御回路に接続して成ることを特徴とする発光警告灯機能を具えた傘。
【請求項２】
該傘骨構造上部の絶縁棒はＰＶＣ（ポリ塩化ビニル）材質で製造することができるようにして成ることを特徴とする請求項１記載の発光警告灯機能を具えた傘。
【請求項３】
該発光装置はエレクトロルミネセンス素子とすることができ、且つ発光装置は傘生地とともにラミネート成形することができるようにして成ることを特徴とする請求項１記載の発光警告灯機能を具えた傘。
【考案の詳細な説明】
【技術分野】
【０００１】
本考案は発光警告灯機能を具えた傘に関し、特に光を発射することができ、これにより傘に警告灯作用の光を形成することができるようにして、使用者の安全を増進することができる発光警告灯機能を具えた傘に関する。
【背景技術】
【０００２】
降雨時に傘をさして歩くとき、傘に視線が遮られて視界が縮小し、危険が増大するため、事故に特に注意しなければならない。雨中の歩行で身の安全を守り、事故の発生を減少させるために、傘に発光部材を設置して安全性向上を図る業者が現れた。図６、図７に示すように、公知の傘Ａは上端に外ネジ部Ａ１を設けて石突頭部をネジ固定できるようにし、石突頭部Ｂは透明材質で製造し、開口部に延伸して外ネジ凸部Ｂ１を設け、その内部を空洞にして発光本体部材Ｃを収納でき、発光本体部材Ｃは回路基板Ｃ１、発光部材Ｃ２、小型電池Ｃ３およびスイッチボタンＣ４などの部材で構成し、小型電池Ｃ３の底部に別途突出してプラグ部Ｃ１１を具えて、石突本体Ｄのソケット部Ｄ１に挿設できるようにする。スイッチボタンＣ４は石突本体Ｄの丸穴Ｄ５から外へ突出し、石突本体Ｄも透明材質で製造し、内部は空洞とし、上端部内側に内ネジ部Ｄ２を設け、石突頭部Ｂの外ネジ凸部Ｂ１と密着してネジ固定し一体にすることができ、石突本体Ｄの下端外側に外向きに傾斜して広がる陣笠Ｄ３を具え、陣笠Ｄ３内に内ネジＤ３１を設け、更に防水樹脂パッキングＤ４を設置し、傘Ａの上ロクロ上端の外ネジ部Ａ１にネジ止めできるようにしている。しかし公知傘Ａの発光石突には以下のように多くの欠点がある。
（１） 傘Ａの外ネジ部Ａ１、石突頭部Ｂ、石突本体Ｄなどは複数セットの金型を作って別々に製造しなければならず、製造コストが増加し、組立にも時間と手間がかかる。
（２） 発光本体部材Ｃに設けた発光部材Ｃ２は石突頭部Ｂ内部に設けてあり、発光部材Ｃ２が光を発生して石突頭部Ｂから外へ投射するとき、光が投射される範囲はたいへん限られており、視覚効果が良好でなく、光による警告作用も悪い。
（３） 発光本体部材Ｃに設けた小型電池Ｃ３を交換するとき、回路基板Ｃ１を石突本体Ｄから取り出さなければならないが、回路基板Ｃ１はソケット部Ｄ１で位置が制限され、更に回路基板Ｃ１上のスイッチボタンＣ４は石突本体Ｄの丸穴Ｄ５に合わせなければならないため、回路基板Ｃ１は石突本体Ｄから取り出すのも中へ挿入するのも非常に困難で、またスイッチボタンＣ４を損壊しやすく、小型電池Ｃ３の交換はたいへん面倒且つ不便である。
【考案の開示】
【考案が解決しようとする課題】
【０００３】
本考案は上述の欠点を解決し、より大きな光点灯範囲の警告灯機能を形成できる傘を提供することを課題とする。
【課題を解決するための手段】
【０００４】
本考案は、傘の傘骨構造上部に収容空間を具えた絶縁棒を設け、収容空間内に制御回路を固設できるようにし、制御回路に電池と操作スイッチを連結して設け、制御回路から発光装置を接続して設け、発光装置は骨の傘生地表面に固設して、操作スイッチによって制御回路を駆動して制御回路で発光装置のオンまたはオフを制御でき、これにより傘に大きな範囲の警告作用を具えた光を形成でき、傘の使用者の安全を増進する。
【０００５】
本考案は更に、発光装置をエレクトロルミネセンス素子とすることができるようにし、エレクトロルミネセンス素子は商標、イラスト、動物図柄、キャラクター図柄、人物図柄などに設けることができ、発光部位の明晰さ、認知しやすさを達成する。
【考案の効果】
【０００６】
本考案の発光警告灯機能を具えた傘は、実際に使用において以下の長所がある。
（１） 傘の絶縁棒は傘骨構造上部に固設し、単一部材であり、製造コストをいたずらに増大せず、製造と組立が非常に簡便である。
（２） 発光装置は傘の傘生地表面に固設し、大面積のエレクトロルミネセンス素子とすることができ、発光ディスプレイ効果が良好で、認知範囲が大きく、安全警告作用が向上する。
（３） 制御回路と電池は絶縁棒の収容空間内に設け、操作スイッチを開くだけで電池交換でき、傘の他の構造を破壊することがない。
（４） 傘上部の絶縁棒は絶縁材料で製造し、雷電吸収を防止する作用を具え、雷撃を避けることができる。
【考案を実施するための最良の形態】
【０００７】
図１、図２、図３、図４に示すように、本考案の傘は傘骨構造１、制御回路２および発光装置３を具えて成り、傘骨構造１は骨１１を移動可能に具え、且つ骨１１に傘生地１２を張って具え、傘骨構造１上部に絶縁棒１３を設け、絶縁棒１３内部に収容空間１３１を設ける。制御回路２は電池２１に電気的に接続し、電池２１の一側に操作スイッチ２２を接続する。発光装置３は光を発生することができる発光体とする。
【０００８】
以上の構成部材を組み立てるとき、傘骨構造１の収容空間１３１に制御回路２を設置し、制御回路２の操作スイッチ２２を収容空間１３１の外部に露出させ、制御回路２に発光装置３を電気的に接続する。発光装置３を骨１１の傘生地１２表面に固設する。以上により操作スイッチ２２で制御回路２を駆動し、制御回路２で発光装置３のオンまたはオフを制御すると、傘１上部に大きな範囲の光が点灯し、傘を認知できる範囲が広がる。
【０００９】
更に、制御回路２の電池２１は乾電池、小型電池、充電池などといった電力を供給できる電池とすることができる。操作スイッチ２２は押圧式スイッチとすることができ、操作スイッチ２２を押圧して電池２１と制御回路２の間に電気の導通または断通を形成する。傘骨構造１上部に設けた絶縁棒１３は絶縁材質とし、雷電の吸収を防いで雷撃を受けるのを防止することができる。
【００１０】
図５に示すように、本考案の傘骨構造１の傘生地１２上に設けた発光装置３は、軟質材料のエレクトロルミネセンス素子とすることができ、エレクトロルミネセンス素子上に商標図案、動物イラスト、キャラクターイラストなどといった絵柄デザインを設けることができ、エレクトロルミネセンス素子が発光すると各種図柄がより明確な発光標的となり、認知性がより高まる。発光装置３は接着剤で傘骨構造１の傘生地１２上に粘着固定してもよく、ネジ止め、リベット加締めなどの方法で傘生地１２上に固設してもよく、発光装置３と傘生地１２をラミネート成形して発光装置３を傘生地１２上に固設することもできる。
【００１１】
本考案の発光装置３はエレクトロルミネセンス素子とすることができ、エレクトロルミネセンス素子は以下の多様な特質がある。
（１） 良好な安定性。
（２） 消費電力が低い。
（３） 発光時にほとんど発熱しない。
（４） 発光面積が大きく、柔軟で均一である。
（５） 観賞角度に制限がない。
（６） きわめて薄く、彎曲弾性がある。
（７） 低温時でも発光は影響を受けない。
（８） 加工の必要に応じて任意のサイズや孔あけを発注製作できる。
（９） 必要に応じて端子の位置と形式を指定できる。
（１０）  駆動電源条件を指定できる。
（１１）  発光表面に文字、図柄を印刷できる。
（１２）  製品寿命は振動や雷撃の影響を受けない。
（１３）  電圧彎曲時に発光の色は影響を受けない。
（１４）  顕著な電磁波および放射干渉はない。
このような多様な特性から、エレクトロルミネセンス素子は本考案の発光装置３として適しており、傘生地１２上に設置することができる。
【図面の簡単な説明】
【００１２】
【図１】本考案の立体外観図である。
【図２】本考案の立体分解図である。
【図３】本考案の側視断面図である。
【図４】本考案の図３のＡ部分の拡大図である。
【図５】本発明の好適な実施例の立体外観図である。
【図６】公知の傘の立体分解図である。
【図７】公知の傘の側視断面図である。
【符号の説明】
【００１３】
１ 傘骨構造
１１ 骨
１２ 傘生地
１３ 絶縁棒
１３１ 収容空間
２ 制御回路
２１ 電池
２２ 操作スイッチ
３ 発光装置
Ａ 傘
Ａ１ 外ネジ部
Ｂ 石突頭部
Ｂ１ 外ネジ凸部
Ｃ 発光本体部材
Ｃ１ 回路基板
Ｃ１１ プラグ部
Ｃ２ 発光部材
Ｃ３ 小型電池
Ｃ４ スイッチボタン
Ｄ 石突本体
Ｄ１ ソケット部
Ｄ２ 内ネジ部
Ｄ３ 陣笠
Ｄ３１ 内ネジ
Ｄ４ 防水樹脂パッキング
Ｄ５ 丸穴
【図１】
0003114689.tif 000003
【図２】
0003114689.tif 000004
【図３】
0003114689.tif 000005
【図４】
0003114689.tif 000006
【図５】
0003114689.tif 000007
【図６】
0003114689.tif 000008
【図７】
0003114689.tif 000009